(57)【要約】      （修正有）【課題】長襦絆や着物の襟を簡単かつしっかりと固定することができ、着くずれの防止効果を高め、また着付けの際に使用する小物類の数を減らすことができ、着付けを一層楽に行うことのできる和装用ブラジャーを提供する。【解決手段】前身頃の両脇部１２に、互いに留め合わせ可能なベルト片１３ａ、１３ｂと、長襦絆の襟を固定する襟止め具２１ａ、２１ｂが設けられた長襦絆用ゴム紐２２ａ、２２ｂと、着物の襟を固定する襟止め具２３ａ、２３ｂが設けられた着物用ゴム紐２４ａ、２４ｂとの一端がそれぞれ縫着され、前身頃１１の両肩部１４に左右の肩紐１５ａ、１５ｂの一端が縫着され、左右の肩紐１５ａ、１５ｂの他端が左右のベルト片１３ａ、１３ｂに縫着されている。【選択図】図３
0003107342.tif 000002
【実用新案登録請求の範囲】
【請求項１】
前身頃の両脇部に、互いに留め合わせ可能なベルト片と、長襦絆の襟を固定する襟止め
具が設けられた第１の伸縮性部材と、着物の襟を固定する襟止め具が設けられた第２の伸
縮性部材との一端がそれぞれ縫着され、
前記前身頃の両肩部に左右の肩紐の一端が縫着され、該左右の肩紐の他端が左右のベル
ト片に縫着されていることを特徴とする和装用ブラジャー。
【請求項２】
前記前身頃には、下前身頃と上前身頃との打合わせ部が形成され、該打合わせ部の下縁
部が縫着されていることを特徴とする請求項１記載の和装用ブラジャー。
【請求項３】
下前身頃と上前身頃と後身頃とを含んで構成される襦袢形の本体部を備え、          
前記下前身頃及び上前身頃の各襟先に、互いに留め合わせ可能なベルト片と、長襦絆の
襟を固定する襟止め具が設けられた第１の伸縮性部材と、着物の襟を固定する襟止め具が
設けれらた第２の伸縮性部材との一端がそれぞれ縫着されていることを特徴とする和装用
ブラジャー。
【請求項４】
前記ベルト片の留め合わせ面には、調整幅が広い着脱手段が装着されていることを特徴
とする請求項１〜３のいずれかの項に記載の和装用ブラジャー。
【請求項５】
請求項１〜４のいずれかの項に記載の和装用ブラジャーと、
腰骨の内側から腹部にかけての前身頃の中央部分でのみ打合わせ部が形成され、上縁部
に紐部材が挿着される紐通し部が袋縫され、裾丈が膝下寸に設計されている裾よけとを含
んで構成されることを特徴とする和装用肌着セット。
【請求項６】
前記紐部材が、ボタンホール付きのゴム紐であり、                                
前記紐通し部には、前記打合わせ部を外した所定箇所に前記ゴム紐の一部を挿脱する挿
脱口が形成され、
前記ゴム紐又は前記紐通し部の挿脱口付近にボタンが縫着され、該ボタンが前記挿脱口
から引き出した前記ゴム紐のボタンホールと係止可能に構成されていることを特徴とする
請求項５記載の和装用肌着セット。
【考案の詳細な説明】
【技術分野】
【０００１】
本考案は和装用ブラジャー、及び和装用肌着セットに関し、より詳細には着物の着付け
を簡単に行うことのできる和装用ブラジャー、及び和装用肌着セットに関する。
【背景技術】
【０００２】
従来から着物の着付けの際、胸部や腰回り等の体型を整えるために和装用ブラジャーな
どが使用されていた。図１０は下記の特許文献１に記載された従来の和装用ブラジャーを
模式的に示した正面図である。
【０００３】
和装用ブラジャー６０は、木綿などの伸縮生地からなる左右の前身頃６１と後身頃６２
とが肩部６３および脇部６４でそれぞれ連結され、左右の前身頃６１が正面側でホック止
めされるようになっている。左右の一方、図においては右側の前身頃６１の前端縁には持
ち出し片６５が付設され、持ち出し片６５には上下所定間隔にループ型のホック６６が縫
い付けられ、ループ型のホック６６に、左側の前身頃６１の前端縁に縫い付けられたフッ
ク型のホック６７が引っ掛けられるようになっている。ループ型のホック６６は胸部のサ
イズに合わせて着用できるように持ち出し片上に左右二列に設けられている。
【０００４】
さらに前身頃６１の胸元に対応する箇所の内側には、胸元パッドが出し入れ可能にポケ
ット６８が作られ、前身頃６１の肩下から胸にわたる部位に対応する箇所の内側には肩下
パッドが出し入れ可能にポケット６９が作られており、後身頃６２の下縁には腰当てパッ
ド７０を脱着可能に備えている。このような、和装用ブラジャー６０によれば、１枚のブ
ラジャーを着用することで肩下、胸元、腰回りの体型補正が容易に行えるようになってい
る。しかしながら、このような従来の和装用ブラジャーでは、胸回りのサイズ調整幅が小
さく、和装のゆったり感を感じさせないものであった。
【０００５】
従来の着付けでは、このような和装用ブラジャーをした後、その上に長襦絆を着用し、
さらに着物を羽織り、帯を巻き帯結びをして着付けができ上がるようになっている。
長襦絆や着物の着付けに際しては、従来、布ひもを長襦絆や着物用に別途数本用意し、
これら布ひもで締めて着崩れを防いでいたが、長時間しめていると苦しさを伴い、着崩れ
した場合には手直しが必要となっていた。このような問題を解決するため、図１１に示し
たゴムベルト８１の両端に襟はさみ８２ａ、８２ｂを取り付けた着物ベルト８０がよく使
用されており、この着物ベルト８０を用いて、長襦絆の襟や着物の襟を留めて着崩れを防
止していた。
【０００６】
着物ベルト８０を使用して長襦絆の襟を留める場合、図１０に示したように着物ベルト
８０の一方の襟ばさみ８２ａで長襦絆４０の下前襟４１をはさみ、ゴムベルト８１を長襦
絆４０の内側より身八つ口を通して背中へまわし、他方の襟はさみ８２ｂで長襦絆４０の
上前襟４３をはさむことにより襟を留めていた。また、着物の場合も同様に、一方の襟ば
さみ８２ａで下前襟をはさみ、ゴムベルト８１を着物の内側より身八つ口を通して背中へ
まわし、他方の襟はさみ８２ｂで着物の上前襟をはさんで襟を留めていた。
【０００７】
このように従来の着物の着付けでは、和装用ブラジャー、布ひもや着物ベルトなどの着
付用具、肌着などをそれぞれ別々に用意しなければならず、着付けの小物が増えやすく、
準備や整理等にも手間がかかりやすいという問題があり、また、着物の着付けがさらに楽
に行えるような改良が望まれていた。
【特許文献１】登録実用新案第３０２３７１３号公報
【考案の開示】
【課題を解決するための手段及びその効果】
【０００８】
本考案は上記課題に鑑みなされたものであって、長襦絆や着物の襟を簡単かつしっかり
と固定することができ、着くずれの防止効果を高め、また着付けの際に使用する小物類の
数を減らすことができ、着付けを一層楽に行うことのできる和装用ブラジャー及び和装用
肌着セットを提供することを目的としている。
【０００９】
上記目的を達成するために本考案に係る和装用ブラジャー（１）は、前身頃の両脇部に
、互いに留め合わせ可能なベルト片と、長襦絆の襟を固定する襟止め具が設けられた第１
の伸縮性部材と、着物の襟を固定する襟止め具が設けられた第２の伸縮性部材との一端が
それぞれ縫着され、前記前身頃の両肩部に左右の肩紐の一端が縫着され、該左右の肩紐の
他端が左右のベルト片に縫着されていることを特徴としている。
【００１０】
上記和装用ブラジャー（１）によれば、互いに留め合わせ可能な前記ベルト片と、長襦
絆の襟を固定する前記襟止め具が設けられた前記第１の伸縮性部材と、着物の襟を固定す
る前記襟止め具が設けられた前記第２の伸縮性部材とが前記前身頃の両脇部にそれぞれ縫
着されているので、従来使用されていた着物ベルトなどの襟止め用具を使用せずに、長襦
絆及び着物の襟をしっかりと固定することができる。また、着用時には、左右のベルト片
を着用者の背中で留め合わせることにより、前記第１の伸縮性部材と前記第２の伸縮性部
材とが身体の脇部分に固定された状態となるので、従来の着物ベルトなどを使用する場合
のように、ゴムベルト部分を背中へまわして巻きつける必要がなく、前記襟止め具による
長襦絆及び着物の襟の固定を非常に楽に行うことができる。さらに、前記襟止め具が設け
られた前記第１の伸縮性部材と前記襟止め具が設けられた前記第２の伸縮性部材と前記前
身頃とが一体化されているので、着付け用に準備したりする小物の数を減らすことができ
、着付けの準備や整理も楽になる。
【００１１】
また本考案に係る和装用ブラジャー（２）は、上記和装用ブラジャー（１）において、
前記前身頃には、下前身頃と上前身頃との打合わせ部が形成され、該打合わせ部の下縁部
が縫着されていることを特徴としている。
【００１２】
上記和装用ブラジャー（２）によれば、前記前身頃には、下前身頃と上前身頃との打合
わせ部が形成され、該打合わせ部の下縁部が縫着されているので、前記打合わせ部により
胸部から腹部を広く覆うことができ、乳房が適度に押さえられ、胸部のふくらみを自然に
整えることができる。また、前記前身頃が打合わせになっているので、授乳期の方が着用
すれば、赤ちゃんにお乳を楽に与えることもできる。また、必要があれば、前記打合わせ
部にタオルやパッドなどを挿入して胸元の補正を行うこともでき、和装のゆったり感を感
じさせるブラジャーとすることができる。
【００１３】
また本考案に係る和装用ブラジャー（３）は、上記和装用ブラジャー（１）又は（２）
において、下前身頃と上前身頃と後身頃とを含んで構成される襦袢形の本体部を備え、前
記下前身頃及び上前身頃の各襟先に、互いに留め合わせ可能なベルト片と、長襦絆の襟を
固定する襟止め具が設けられた第１の伸縮性部材と、着物の襟を固定する襟止め具が設け
れらた第２の伸縮性部材との一端がそれぞれ縫着されていることを特徴としている。
【００１４】
上記和装用ブラジャー（３）によれば、互いに留め合わせ可能な前記ベルト片と、長襦
絆の襟を固定する前記襟止め具が設けられた前記第１の伸縮性部材と、着物の襟を固定す
る前記襟止め具が設けられた前記第２の伸縮性部材とが前記下前身頃及び上前身頃の各襟
先に縫着されているので、上記和装用ブラジャー（１）と略同様の効果を得ることができ
る。また、前記本体部が後身頃を備えているので、シャツタイプの肌着（肌襦袢）として
兼用することができる。したがって、肌襦袢としての機能、胸部補正手段としての機能、
長襦絆及び着物の襟を簡単かつしっかりと固定する手段としての機能が装備された機能性
の高いブラジャーとすることができる。
【００１５】
また本考案に係る和装用ブラジャー（４）は、上記和装用ブラジャー（１）〜（３）の
いずれかにおいて、前記ベルト片の留め合わせ面には、調整幅が広い着脱手段が装着され
ていることを特徴としている。
【００１６】
上記和装用ブラジャー（４）によれば、前記ベルト片の留め合わせ面には、調整幅が広
い着脱手段が装着されているので、胴回りのサイズ調整が幅広く行え、１つのブラジャー
で、細身の方から太身の方までさまざまな体型の方に対応させることができる。なお前記
着脱手段には、例えば、面ファスナー、横幅方向に複数配列されたホック、ボタンなどが
採用され得る。
【００１７】
また本考案に係る和装用肌着セット（１）は、上記和装用ブラジャー（１）〜（４）の
いずれかと、腰骨の内側から腹部にかけての前身頃の中央部分でのみ打合わせ部が形成さ
れ、上縁部に紐部材が挿着される紐通し部が袋縫され、裾丈が膝下寸に設計されている裾
よけとを含んで構成されることを特徴としている。
【００１８】
上記和装用肌着セット（１）によれば、上記和装用ブラジャー（１）〜（４）と略同様
の効果が得られるとともに、上記和装用ブラジャー（１）〜（４）のいずれかと組み合わ
せて着用する前記裾よけが、前身頃の中央部分でのみ打合わせ部が形成され、裾丈が膝下
寸に設計されているので、裾よけが歩行時に足にまとわりつくこともなく、歩行が自由に
行え、裾さばきを楽にすることができ、歩行時の疲労を軽減させることができる。また、
用便時の不自由さも軽減でき、楽に用を足すことができる。
【００１９】
また本考案に係る和装用肌着セット（２）は、上記和装用肌着セット（１）において、
前記紐部材が、ボタンホール付きのゴム紐であり、前記紐通し部には、前記打合わせ部を
外した所定箇所に前記ゴム紐の一部を挿脱する挿脱口が形成され、前記ゴム紐又は前記紐
通し部の挿脱口付近にボタンが縫着され、該ボタンが前記挿脱口から引き出した前記ゴム
紐のボタンホールと係止可能に構成されていることを特徴としている。
【００２０】
上記和装用肌着セット（２）によれば、前記裾よけの前記紐通し部に形成された前記挿
脱口から前記ボタンホール付きのゴム紐をウエスト部のサイズに応じて引き出して、前記
ボタンを前記ボタンホールに係止することができ、細身の方から太身の方まで、着用者の
体型に合わせてウエスト部を適宜調整することができ、ずり落ちる心配もなく、気楽に着
用することができる。
【考案を実施するための最良の形態】
【００２１】
以下、本考案に係る和装用ブラジャー及び和装用肌着セットの実施の形態を図面に基づ
いて説明する。図１は、実施の形態（１）に係る和装用肌着セットを模式的に示した正面
図であり、図２は、実施の形態（１）に係る和装用肌着セットを模式的に示した背面図で
ある。
【００２２】
和装用肌着セットは、和装用ブラジャー１０と裾よけ３０とを含んで構成されている。
和装用ブラジャー１０は、綿などの肌着に適した生地からなる前身頃１１の両脇部１２に
、互いに留め合わせ可能なベルト片１３ａ、１３ｂと、長襦絆の襟を固定する開閉爪式の
襟止め具２１ａ、２１ｂが設けられた長さ調整機能付きの長襦絆用ゴム紐２２ａ、２２ｂ
（第１の伸縮性部材）と、着物の襟を固定する開閉爪式の襟止め具２３ａ、２３ｂが設け
られた長さ調整機能付きの着物用ゴム紐２４ａ、２４ｂ（第２の伸縮性部材）との一端が
それぞれ縫着されている。また、前身頃１１の両肩部１４には、肩紐１５ａ、１５ｂの一
端がそれぞれ縫着され、肩紐１５ｂの他端がベルト片１３ａに、肩紐１５ａの他端がベル
ト片１３ｂにそれぞれ縫着されている。
【００２３】
前身頃１１は、下縁部１６上部の一部分を除いて表生地と裏生地との２重生地からなる
下前身頃１１ａと上前身頃１１ｂとから形成されており、下前身頃１１ａと上前身頃１１
ｂとの打合わせ部の下縁部１６は円弧状に形成されており、また下前身頃１１ａと上前身
頃１１ｂとの下縁部１６は縫着されている。前身頃１１の身丈ｈ1 は、腰下寸に設計され
ており、腰より上の腹部全体が覆われるようになっている。したがって、下前身頃１１ａ
と上前身頃１１ｂとにより乳房が均等に押さえられ、胸部のふくらみが自然に整えられる
ようになっている。また、必要があれば、前記打合わせ部にタオルやパッドなどを挿入し
て胸元の補正が行えるようになっている。
【００２４】
また、下前身頃１１ａと上前身頃１１ｂと紐部１５ａ、１５ｂとの縁には、伸縮性を有
するゴムレース１７が縫着されており、装飾的美感を高め、着用時のフィット感を向上さ
せて、肩紐１５ａ、１５ｂのずれ落ちなどが防止されるようになっている。
【００２５】
ベルト片１３ａ、１３ｂは、綿などの肌着に適した生地を２つに折り畳んで縫製された
帯片からなり、左右のベルト片１３ａ、１３ｂの留め合わせ面には、マジックテープ（登
録商標）などの面ファスナー１８（着脱手段）が略横幅全体に装着されており、胴回りの
サイズ調整幅が広くかつ自由に調整できるようになっている。なお図１、図２では胴回り
のサイズが大きい着用者の留め合わせ状態を示しているが、胴回りのサイズが小さい着用
者の留め合わせ状態は、図３に示したような形態となる。
【００２６】
また、長襦絆用ゴム紐２２ａ、２２ｂは、着物用ゴム紐２４ａ、２４ｂよりも短めに設
計されており、長襦絆の襟と着物の襟とが同じように重なって固定されない設計となって
いる。開閉爪式の襟止め具２１ａ、２１ｂ、２３ａ、２３ｂの開閉爪の内側には、ゴム部
材（図示せず）が配設されており、開閉爪を閉じた時に長襦絆の襟や着物の襟を傷つける
ことなく、しかも強固に固定できるようになっている。
【００２７】
裾よけ３０は、綿などの肌着に適した生地やその他すべりの良い生地を用いて腰骨の内
側から腹部にかけての前身頃の中央部分でのみ打合わせ部３２が形成された筒状体３１か
らなり、上縁部には、ボタンホール３３ａ付きゴム紐３３（紐部材）が挿着される紐通し
部３４が袋縫され、裾丈ｈ2 が膝下寸（膝から１０〜１５ｃｍ程度下までの丈）に設計さ
れている。
【００２８】
筒状体３１は、打合わせ部３２の両下縁部が少し上に傾斜するように、かつ背面中央の
上端部がわずかに下に傾斜するように裁断された生地を用いて縫製されている。紐通し部
３４には、前身頃の打合わせ部３２を外した側方所定箇所に、ゴム紐３３を挿脱する挿脱
口３４ａが形成されており、挿脱口３４ａから環状のゴム紐３３の一部を挿脱して、ゴム
紐３４の内側に取り付けられたボタン３５を、重ね合わせたゴム紐３３のボタンホール３
３ａと係止させることで、着用者のウエスト部の大きさに合わせて、サイズを簡単に調整
することが可能となっている。                                                    
【００２９】
次に実施の形態（１）に係る和装用肌着セット（和装用ブラジャー１０と裾よけ３０）
を用いた着付け方法について説明する。図４は、長襦絆の着用時の状態、図５は着物の着
用時の状態を示した正面図である。
【００３０】
まず、肌襦袢の上に和装用ブラジャー１０を着用するとともに、裾よけ３０を着用する
（図１の状態）。なお、必要があれば、和装用ブラジャー１０の前身頃１１の打合わせ部
にタオルやパッドなどを挿入して胸元の補正を行う。和装用ブラジャー１０及び裾よけ３
０は、それぞれ胴回りとウエスト部のサイズ調整が自在となっているので、少しの肥満体
型の方でも違和感なく着用できるようになっている。
【００３１】
次に、長襦絆を羽織り、襟位置を合わせて、図４に示したように長襦絆４０の下前襟４
１を、和装用ブラジャー１０に縫着された長襦絆用ゴム紐２２ａの先の襟止め具２１ａで
挟み、同様に、他方の長襦絆用のゴム紐２２ｂの先の襟止め具２１ｂを長襦絆４０の身八
つ口４２から引き出して、長襦絆４０の上前襟４３を挟む。そして長襦絆４０の衣紋４４
を下に引いて位置を固定する布紐（図示せず）を胴部に巻き付けて、衣紋４４を固定する
。
【００３２】
次に着物４５を羽織り、すその長さを決めたら、襟の先端を合わせる。長襦絆４０の衣
紋４４が固定されているのでおのずと重なるようになっており、その後、図５に示すよう
に和装用ブラジャー１０に縫着された着物用ゴム紐２４ａの先の襟止め具２３ａを長襦絆
の身八つ口から引き出して、着物４５の下前襟４６を挟み、同様に、他方の着物用ゴム紐
２４ｂの先の襟止め具２３ｂを長襦絆４０及び着物４５の身八つ口４７から引き出して、
着物４５の上前襟４８を挟む。
【００３３】
長襦絆４０及び着物４５の襟が、和装用ブラジャー１０に長襦絆用ゴム紐２２ａ、２２
ｂ及び着物用ゴム紐２４ａ、２４ｂを介して取り付けられた長襦絆用の襟止め具２１ａ、
２１ｂと着物用の襟止め具２３ａ、２３ｂとでしっかりと固定されるので、着用者の動き
に追従させることができ、長時間着物を着用しても、圧迫感や苦しさを感じることなく、
着崩れが起こりにくいようになっている。その後、伊達締め（図示せず）を巻いて、帯を
巻き帯結びをして着付けができ上がるようになっている。
【００３４】
上記実施の形態（１）に係る和装用肌着セットによれば、和装用ブラジャー１０の前身
頃１１の両脇部１２に、互いに留め合わせ可能なベルト片１３ａ、１３ｂと、長襦絆の襟
を固定する襟止め具２１ａ、２１ｂが設けられた長襦絆用ゴム紐２２ａ、２２ｂと、着物
の襟を固定する襟止め具２３ａ、２３ｂが設けられた着物用ゴム紐２４ａ、２４ｂとがそ
れぞれ縫着されているので、従来使用されていた着物ベルトなどの襟止め用具を使用せず
に、長襦絆及び着物の襟をしっかりと固定することができる。また、着用時には、左右の
ベルト片１３ａ、１３ｂを着用者の背中で留め合わせることにより、長襦絆用ゴム紐２２
ａ、２２ｂと着物用ゴム紐２４ａ、２４ｂとが身体の脇部分に固定された状態となるので
、従来の着物ベルトなどを使用する場合のように、ゴムベルト部分を背中にまわして巻き
つける必要がなく、襟止め具２１ａ、２１ｂ、２３ａ、２３ｂによる長襦絆及び着物の襟
の固定を非常に楽に行うことができる。さらに、襟止め具２１ａ、２１ｂが設けられた長
襦絆用ゴム紐２２ａ、２２ｂと、襟止め具２３ａ、２３ｂが設けられた着物用ゴム紐２４
ａ、２４ｂと、前身頃１１とが一体化されているので、着付け用に準備したりする小物の
数を減らすことができ、着付けの準備や整理を楽にすることができる。
【００３５】
また、前身頃１１には、下前身頃１１ａと上前身頃１１ｂとの打合わせ部が形成され、
該打合わせ部の下縁部１６が縫着されているので、前記打合わせ部により胸部から腹部を
広く覆うことができ、乳房が適度に押さえられ、胸部のふくらみを自然に整えることがで
きる。また、前身頃１１が打合わせになっているので、授乳期の方が着用すれば、赤ちゃ
んにお乳を楽に与えることもできる。また、必要があれば、前記打合わせ部にタオルやパ
ッドなどを挿入して胸元の補正を行うこともでき、和装のゆったり感を感じさせるブラジ
ャーとすることができる。
【００３６】
また、ベルト片１３ａ、１３ｂの留め合わせ面には、調整幅が広い面ファスナー１８（
着脱手段）が装着されているので、胴回りのサイズ調整が幅広く行え、１つのブラジャー
で、細身の方から太身の方までさまざまな体型の方に対応させることができる。
【００３７】
また、和装用ブラジャー１０と組み合わせて着用する裾よけ３０が、前身頃の中央部分
でのみ打合わせ部３２が形成され、裾丈ｈ2 が膝下寸に設計されているので、裾よけ３０
が歩行時に足にまとわりつくこともなく、歩行が自由に行え、裾さばきを楽にすることが
でき、歩行時の疲労を軽減させることができる。また、用便時の不自由さも軽減でき、楽
に用を足すことができる。
【００３８】
また、裾よけ３０の紐通し部３４に形成された挿脱口３４ａからボタンホール３３ａ付
きのゴム紐３３をウエスト部のサイズに応じて引き出して、ボタン３５をボタンホール３
３ａに係止することができ、細身の方から太身の方まで、着用者の体型に合わせてウエス
ト部を適宜調整することができ、ずり落ちる心配もなく、気楽に着用することができる。
【００３９】
図６は、実施の形態（２）に係る和装用肌着セットを模式的に示した正面図であり、図
７は、その背面図である。但し、図１、図２に示した和装用ブラジャー１０及び裾よけ３
０と同一機能を有する構成部分については同一符号を付して、その説明を省略することと
する。
【００４０】
和装用肌着セットは、和装用ブラジャー１０Ａと裾よけ３０とを含んで構成されている
。和装用ブラジャー１０Ａは、綿などの肌着に適した伸縮性を備えた生地によって形成さ
れる下前身頃５１ａと上前身頃５１ｂと後身頃５２と袖部５３とを含んで構成される襦袢
形の本体部５０を備え、打合わせになっている下前身頃５１ａと上前身頃５１ｂとの各襟
先には、互いに留め合わせ可能なベルト片５４ａ、５４ｂと、長襦絆の襟を固定する襟止
め具２１ａ、２１ｂが設けられた長襦絆用ゴム紐２２ａ、２２ｂと、着物の襟を固定する
襟止め具２３ａ、２３ｂが設けられた着物用ゴム紐２４ａ、２４ｂとの一端がそれぞれ縫
着されている。
【００４１】
下前身頃５１ａと上前身頃５１ｂとは、表生地及び裏生地の２重生地からなり、上前身
頃５１ｂの下縁部５５は円弧状に形成されている。下前身頃５１ａと上前身頃５１ｂとの
身丈ｈ3 は、腰下寸に設計されており、腰より上の腹部全体が覆われるようになっている
。したがって、下前身頃５１ａと上前身頃５１ｂとにより乳房が適度に押さえられ、胸部
のふくらみが自然に整えられる。また、下前身頃５１ａ及び上前身頃５１ｂの襟の縁、後
身頃５２の襟首の縁には、伸縮性のゴムレース１７が縫着されており、装飾的美感を高め
、着用時のフィット感を向上させるようになっている。
【００４２】
上前身頃５１ｂの脇部分には、スリット５６が形成されており、スリット５６から下前
身頃５１ａの襟先に縫着されたベルト片５４ａ、長襦絆用ゴム紐２２ａ、着物用ゴム紐２
４ａが引き出されるようになっている。
【００４３】
また、後身頃５２には、腰当て部５２ａが形成されており、背中から腰にかけて広く覆
うことができ、袖部５３は、袖口の大きなフレンチ袖となっており、着用時の腕の動きが
楽に行えるとともに、着脱も容易に行えるようになっている。
【００４４】
ベルト片５４ａ、５４ｂは、綿などの肌着に適した生地で袋縫いされた帯片からなり、
左右のベルト片５４ａ、５４ｂの留め合わせ面には、面ファスナー１８が略横幅全体に装
着されており、胴回りのサイズ調整幅が広くかつ自由に調整できるようになっている。
【００４５】
また、長襦絆用ゴム紐２２ａ、２２ｂは、着物用ゴム紐２４ａ、２４ｂよりも短めに設
計されており、長襦絆の襟と着物の襟とが同じように重なって固定されない設計となって
いる。開閉爪式の襟止め具２１ａ、２１ｂ、２３ａ、２３ｂの開閉爪の内側には、ゴム部
材（図示せず）が配設されており、開閉爪を閉じた時に長襦絆の襟や着物の襟を傷つける
ことなく、しかも強固に固定できるようになっている。
【００４６】
次に実施の形態（２）に係る和装用肌着セット（和装用ブラジャー１０Ａと裾よけ３０
）を用いた着付け方法について説明する。図８は長襦絆の着用時の状態、図９は着物の着
用時の状態を示した正面図である。
【００４７】
まず、和装用ブラジャー１０Ａを着用するとともに、裾よけ３０を着用する（図６、７
の状態）。和装用ブラジャー１０Ａ及び裾よけ３０は、それぞれ胴回りとウエスト部のサ
イズ調整が自在となっているので、少しの肥満体型の方でも違和感なく着用できるように
なっている。
【００４８】
次に、長襦絆を羽織り、図８に示したように長襦絆４０の下前襟４１を、和装用ブラジ
ャー１０Ａの下前身頃５１ａに縫着された長襦絆用ゴム紐２２ａの先の襟止め具２１ａで
挟み、同様に、他方の長襦絆用のゴム紐２２ｂの先の襟止め具２１ｂを長襦絆４０の身八
つ口４２から引き出して、長襦絆４０の上前襟４３を挟む。そして長襦絆４０の衣紋４４
を下に引いて位置を固定する布紐（図示せず）を胴部に巻き付けて、衣紋４４を固定する
。
【００４９】
次に着物４５を羽織り、すその長さを決めたら、襟の先端を合わせる。長襦絆４０の衣
紋４４が固定されているのでおのずと重なるようになっており、その後、図９に示すよう
に和装用ブラジャー１０Ａの下前身頃５１ａに縫着された着物用ゴム紐２４ａの先の襟止
め具２３ａを長襦絆４０の身八つ口から引き出して、着物４５の下前襟４６を挟み、同様
に、和装用ブラジャー１０Ａの上前身頃５１ｂに縫着された着物用ゴム紐２４ｂの先の襟
止め具２３ｂを長襦絆４０及び着物４５の身八つ口４７から引き出して、着物４５の上前
襟４８を挟む。
【００５０】
長襦絆４０及び着物４５の襟が、和装用ブラジャー１０Ａに長襦絆用ゴム紐２２ａ、２
２ｂ及び着物用ゴム紐２４ａ、２４ｂを介して取り付けられた長襦絆用の襟止め具２１ａ
、２１ｂと着物用の襟止め具２３ａ、２３ｂとでしっかりと固定されるので、着用者の動
きに追従させることができ、長時間着物を着用しても、圧迫感や苦しさを感じることなく
、着崩れが起こりにくいようになっている。その後、伊達締めを巻いて、帯を巻き帯結び
をして着付けができ上がるようになっている。
【００５１】
上記実施の形態（２）に係る和装用肌着セットによれば、和装用ブラジャー１０Ａの下
前身頃５１ａ及び上前身頃５１ｂの各襟先に、互いに留め合わせ可能なベルト片５４ａ、
５４ｂと、長襦絆の襟を固定する襟止め具２１ａ、２１ｂが設けられた長襦絆用ゴム紐２
２ａ、２２ｂと、着物の襟を固定する襟止め具２３ａ、２３ｂが設けられた着物用ゴム紐
２４ａ、２４ｂとがそれぞれ縫着されているので、上記した和装用ブラジャー１０と略同
様の効果を得ることができる。
【００５２】
また、本体部５０が、後身頃５２を備えているので、シャツタイプの肌着（肌襦袢）と
して兼用することができる。したがって、肌襦袢としての機能、胸部補正手段としての機
能、長襦絆及び着物の襟を簡単かつしっかりと固定する手段としての機能が装備された機
能性の高いブラジャーとすることができる。
【図面の簡単な説明】
【００５３】
【図１】本考案の実施の形態（１）に係る和装用肌着セットを模式的に示した正面図である。
【図２】実施の形態（１）に係る和装用肌着セットを模式的に示した背面図である。
【図３】和装用ブラジャーの別の留め合わせ状態を模式的に示した背面図である。
【図４】実施の形態（１）に係る和装用肌着セットを着用して、長襦絆を着用した時の状態を模式的に示した正面図である。
【図５】実施の形態（１）に係る和装用肌着セットを着用して、着物を着用した時の状態を模式的に示した正面図である。
【図６】実施の形態（２）に係る和装用肌着セットを模式的に示した正面図である。
【図７】実施の形態（２）に係る和装用肌着セットを模式的に示した背面図である。
【図８】実施の形態（２）に係る和装用肌着セットを着用して、長襦絆を着用した時の状態を模式的に示した正面図である。
【図９】実施の形態（２）に係る和装用肌着セットを着用して、着物を着用した時の状態を模式的に示した正面図である。
【図１０】従来の和装用ブラジャーを模式的に示した正面図である。
【図１１】従来使用されていた長襦絆や着物の襟止め具を模式的に示した平面図である。
【符号の説明】
【００５４】
１０、１０Ａ  和装用ブラジャー
１１  前身頃
１３ａ、１３ｂ、５４ａ、５４ｂ  ベルト片
１５ａ、１５ｂ  肩紐
２１ａ、２１ｂ  長襦絆用襟止め具
２２ａ、２２ｂ  長襦絆用ゴム紐
２３ａ、２３ｂ  着物用襟止め具
２４ａ、２４ｂ  着物用ゴム紐
【図１】
0003107342.tif 000003
【図２】
0003107342.tif 000004
【図３】
0003107342.tif 000005
【図４】
0003107342.tif 000006
【図５】
0003107342.tif 000007
【図６】
0003107342.tif 000008
【図７】
0003107342.tif 000009
【図８】
0003107342.tif 000010
【図９】
0003107342.tif 000011
【図１０】
0003107342.tif 000012
【図１１】
0003107342.tif 000013